(57)【要約】
【課題】冷却ゲルシートを収納可能とした装着具を使用しないで、施用部位に対する冷却効果を向上し、しかも施用部位に対するフィット感、使用感を向上する。
【解決手段】内部にゲル状の冷却剤２を充填し、人体の曲面に沿って配置する冷却袋１において、前記冷却袋１の外周は略横長の長円形もしくは楕円形で一方の横辺が内側に向けて湾曲（３）し、他方の横辺が緩やかに外側へ向けて湾曲（４）しており、前記冷却袋１の少なくとも一方の面をキルティング加工（５）して構成する。冷却袋１は、冷却剤２により片面もしくは両面が膨出している。冷却袋１は、綿１００％使用のネル素材によって形成した収納袋に収納できるようにする。
【選択図】　　　図１
0003099589.tif 000002
【実用新案登録請求の範囲】
【請求項１】
　内部にゲル状の冷却剤が充填され、人体の曲面に沿って配置される冷却袋において、
　前記冷却袋の外周は略横長の長円形もしくは楕円形で一方の横辺が内側に向けて湾曲し、他方の横辺が緩やかに外側へ向けて湾曲させられており、
　前記冷却袋の少なくとも一方の面をキルティング加工して構成したことを特徴とした冷却袋。
【請求項２】
　冷却袋は、冷却剤により片面もしくは両面が膨出させられている請求項１記載の冷却袋。
【請求項３】
　冷却袋は、綿１００％使用のネル素材によって形成された収納袋に収納されるものとした請求項１または２記載の冷却袋。
【考案の詳細な説明】
【技術分野】
【０００１】
　この考案は、人体における腕の脇や、脚の付け根等のリンパ管あるいはリンパ節の存在する部位を冷やすための冷却袋に関する。
【背景技術】
【０００２】
　従来における冷却具としては、例えばアクリル繊維製のタオル生地で長方形状に形成され、左右両側の２箇所に縫着された綿ファスナー付きの伸縮性の連結具を備え、中央部に冷却ゲルシートを挿脱自在に収納し得るポケット状の収納部を備えたリンパ冷却用の装着具を構成したものがある（特許文献１参照）。
【特許文献１】特開２００２−２９１７９１号公報
【考案の開示】
【考案が解決しようとする課題】
【０００３】
　しかしながら、従来における冷却具では、装着具中央のポケット状の収納部の内部に冷却ゲルシートを収納しているため、施用部位に対する冷却効果が非常に弱くなる。また、装着具自体が長方形に形成されており、しかも施用に際し、綿ファスナー付きの伸縮性の連結具を使用するため、施用部位に対するフィット感、使用感も低減してしまう等の問題点を有していた。
【０００４】
　そこでこの考案は叙上のような従来存した諸事情に鑑み案出されたもので、特に冷却ゲルシートを収納可能とした装着具を使用しないで、施用部位に対する冷却効果を向上させ、しかも施用部位に対するフィット感、使用感を向上させた冷却部を提供することを目的とする。
【課題を解決するための手段】
【０００５】
　上述した課題を解決するため、この考案にあっては、　内部にゲル状の冷却剤２が充填され、人体の曲面に沿って配置される冷却袋１において、前記冷却袋１の外周は略横長の長円形もしくは楕円形で一方の横辺が内側に向けて湾曲（３）し、他方の横辺が緩やかに外側へ向けて湾曲（４）させられており、前記冷却袋１の少なくとも一方の面をキルティング加工（５）して構成したものである。
　冷却袋１は、冷却剤２により片面もしくは両面が膨出させられているものとすることができる。
　冷却袋１は、綿１００％使用のネル素材によって形成された収納袋７に収納されるものとすることができる。
【考案の効果】
【０００６】
　以上、説明したようにこの考案によれば、特に冷却ゲルシートを収納可能とした装着具を使用しないで、施用部位に対する冷却効果を向上させ、しかも施用部位に対するフィット感、使用感を向上させることができ、効果的にリンパ腺を冷やすことで、例えば３８℃以上の高熱を冷ますことができる。また、人体のリンパ腺を冷やすために使用する以外に、人体の他の部位を冷やすためにも使用可能である。
【０００７】
　なお、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【０００８】
　以下図面を参照して考案を実施するための最良の形態について説明すると、図において示される符号１は、人体における腕の脇や、脚の付け根（そけい部）等のリンパ管あるいはリンパ節の存在する部位を冷やすことで急な発熱高温時に対応できるために形成された冷却袋であり、内部に無害なゲル状の冷却剤２が充填され、人体の曲面に沿ってフィット感、使用感を高めて配置し得るように形成されたものである。
【０００９】
　具体的な冷却袋１の外周形状としては、図１に示すように、この外周を横幅１５〜１６ｃｍ、縦幅８〜１０ｃｍ程度の略横長の長円形もしくは楕円形とし、長円形もしくは楕円形の長軸方向に沿った一方の横辺が内側に向けて最大凹幅が約１ｃｍ程度に湾曲形成した凹湾曲辺部３と、他方の横辺が緩やかに外側へ向けて最大凸幅が約０．５ｃｍ程度に湾曲形成した凸湾曲辺部４とを有し、全体の窪み幅Ｌが約７．５〜０．９ｃｍ程度となるようにしてある。
【００１０】
　また、図２に示すように、冷却袋１の一方の面、または両面にキルティング加工部５を形成し、前記冷却剤２により一方の面、または両面を膨出させた状態とし、最大厚さが約１〜２ｃｍ程度となるように形成してある。この冷却袋１の素材としては、着衣の上から施用しても、両面から冷却剤２が見えないように加工した例えばポリエチレン・ポリプロピレン・ナイロン・ゴム等の種々の高分子材料を使用することができる。
【００１１】
　また、図５に示すように、冷却袋１自体は、例えば綿１００％使用のネル素材によって形成された例えば縦幅約１９ｃｍ、横幅約１４ｃｍ程度で開口部に絞り込み閉塞用の綿１００％の紐材６を備えた収納袋７に収納されるものとしてある。
【００１２】
　冷却剤２としては、例えばカルボキシメチルセルロースナトリウム４重量部にグリセリン３０重量部を加え、更にポリアクリル酸ナトリウム１．５重量部、モノラウリン酸ソルビタン０．３重量部、および乾燥水酸化アルミニウムゲル０．００６重量部を添加し、これに水を加えて全体を１００重量部に調整したものを充分に攪拌することで形成される流動性を有する含水ゲル剤を使用することができる。
【００１３】
　次に、本考案による構成の冷却袋の使用方法について説明すれば、図３、図４に示すように、人体における腕の脇や、脚の付け根（そけい部）等のリンパ管あるいはリンパ節の存在する部位を冷やす場合、冷却袋の凹湾曲辺部３側を腕の脇や脚の付け根の内側に向けて施用する。着衣の上から施用することができる。このとき片面にキルティング加工部５が形成されている場合には、このキルティング加工部５側を外側に向けて施用する。また、必要に応じて、冷却袋１の左右両端を粘着テープ８等で人体に固定しても良い（図４参照）。不使用の場合には、冷却袋１を収納袋７に収納し紐材６を引き出して絞り込むことで開口部を閉塞しておく（図５参照）。なお、収納袋７に入れた状態で直接使用することができる。
【図面の簡単な説明】
【００１４】
【図１】この考案を実施するための最良の形態を示す一部切欠平面図である。
【図２】図１におけるＸ−Ｘ断面図である。
【図３】使用状態を説明する説明図である。
【図４】同じく使用状態を説明する拡大された説明図である。
【図５】収納袋の具体例を示す平面図である。
【符号の説明】
【００１５】
Ｌ　窪み幅
１　冷却袋
２　冷却剤
３　凹湾曲辺部
４　凸湾曲辺部
５　キルティング加工部
６　紐材
７　収納袋
８　粘着テープ
【図１】
0003099589.tif 000003
【図２】
0003099589.tif 000004
【図３】
0003099589.tif 000005
【図４】
0003099589.tif 000006
【図５】
0003099589.tif 000007